(57)【特許請求の範囲】
【請求項１】
複数の商品収納庫と、前記商品収納庫の下部に配置された機械室を有し、
前記商品収納庫の内少なくとも１室を収納する商品を冷却もしくは加温する冷却加温室とし、前記商品収納庫の内少なくとも１室を収納する商品を冷却する冷却専用室とした自動販売機において、
前記冷却加温室内に設置された第一の庫内蒸発器および庫内凝縮器と、
前記冷却専用室に設置された第二の庫内蒸発器と、
前記機械室に設置した圧縮機と、
庫外凝縮器と、
前記圧縮機から吐出された冷媒の流路を、前記庫内凝縮器を経由して前記庫外凝縮器に流す流路と、前記庫内凝縮器を経由せずに前記庫外凝縮器に流す流路のいずれかに切り替える流路切替手段と、
前記庫内凝縮器から前記流路切替手段を経由して前記庫外凝縮器に接続された冷媒配管と、前記圧縮機の吸入配管とをバイパスするバイパス流路に設けられた庫外蒸発器と、
前記庫外蒸発器の吸入側で前記バイパス流路を開閉する電磁弁と、
前記電磁弁と前記庫外蒸発器の間に設けられた膨張機構と、
前記庫外凝縮器および前記庫外蒸発器の近傍に設けた庫外ファンとを備え、
前記庫内凝縮器と前記庫外凝縮器を接続する配管に抵抗器を設けたことを特徴とする自動販売機。
【請求項２】
前記冷却加温室と前記冷却専用室を冷却する場合には、前記電磁弁を閉じるとともに、前記流路切替手段を切替えて前記圧縮機から吐出された冷媒を前記庫外凝縮器で凝縮させた後、前記第一の庫内蒸発器と前記第二の庫内蒸発器を経由して前記圧縮機に還流させ、
前記冷却加温室を加温し前記冷却専用室を冷却する場合には、前記電磁弁を閉じるとともに、前記流路切替手段を切替え、前記圧縮機の吐出配管と前記庫内凝縮器を連通させるとともに前記庫内凝縮器と前記庫外凝縮器を連通させることで、前記圧縮機から吐出した冷媒を前記庫内凝縮器で一部凝縮させて周囲の空気に放熱することで前記冷却加温室を加温し、前記庫内凝縮器を出た冷媒を前記抵抗器で減圧した後に前記庫外凝縮器でさらに凝縮させた後、前記第二の庫内蒸発器を経由して前記圧縮機に還流させ、
前記冷却加温室のみを加温する場合には、前記電磁弁を開くとともに、前記流路切替手段
を切替え、前記圧縮機の吐出配管と前記庫内凝縮器を連通させるとともに前記庫内凝縮器と前記庫外凝縮器を連通させることで、前記圧縮機から吐出した冷媒を前記庫内凝縮器で一部凝縮させて周囲の空気に放熱することで前記冷却加温室を加温し、前記庫内凝縮器を出た冷媒を前記抵抗器で減圧した後に前記庫外凝縮器でさらに凝縮させ、前記庫外凝縮器を出た冷媒を前記膨張機構で減圧した後、前記庫外蒸発器を経由して前記圧縮機に還流させることを特徴とする請求項１に記載の自動販売機。
【請求項３】
前記庫内凝縮器と前記庫外凝縮器を接続する配管に設けた前記抵抗器をキャピラリーチューブとしたことを特徴とする請求項１または請求項２に記載の自動販売機。
【請求項４】
前記庫内凝縮器にて冷媒を凝縮させた後、前記庫外凝縮器でさらに冷媒を凝縮してから庫内蒸発器にて冷媒を蒸発させる冷温同時運転中に前記庫外ファンの風量を停止または減少させることを特徴とする請求項１乃至請求項３のいずれかに記載の自動販売機。
【発明の詳細な説明】
【技術分野】
【０００１】
本発明は、缶飲料などの商品を加温または冷却して販売する自動販売機において、冷凍サイクルを用いて商品を冷却・加温する冷却加温システムを有した自動販売機に関するものである。
【背景技術】
【０００２】
近年、自動販売機に対する消費電力量削減の要求が高まってきており、消費電力量削減手段として、冷却によって生じる排熱あるいは外気の熱を利用して商品が保管された貯蔵庫を加温するものが提案されている（例えば、特許文献１参照）。
【０００３】
以下、図面を参照しながら従来の自動販売機を説明する。
【０００４】
図５に従来の自動販売機における冷媒回路図を示し、図６に運転モード切換時の制御フローチャートを示す。
【０００５】
従来の自動販売機において商品を収納する商品収納庫１と商品収納庫１の下部に配置された機械室（図示せず）を有する。商品収納庫１内は３つの区画に別れ、収納する商品を冷却もしくは加温する第１の冷却加温室２、収納する商品を冷却もしくは加温する第２の冷却加温室３、収納する商品を冷却する冷却専用室４を有する。また、それぞれの庫内には商品収納棚（図示せず）が上部に吊り下げられており、商品が内部に収納されている。
【０００６】
また、５は圧縮機、６は庫外熱交換器、７は通過する冷媒を減圧する膨張弁、８、９は庫内熱交換器、１０は蒸発器、１１〜１９は開閉動作を行う電磁弁、２０〜２５は矢印の方向にのみ冷媒を通過させる逆止弁、２６は庫外熱交換器近傍に設置された庫外ファン、２７〜２９は各商品収納庫内の熱交換器近傍に設置された庫内ファン、３０、３１は加温ヒータである。
【０００７】
上記のように設置された従来の自動販売機について、以下図６をもとにその動作を説明する。なお、第１の冷却加温室２のみを加温とし、その他、２室については冷却とした場合について説明する。
【０００８】
従来の自動販売機は第１の冷却加温室２を加温すると同時に第２の冷却加温室３、冷却専用室４を冷却する冷却加温運転モード（３室運転ＣＣＨ、２室運転ＣＨ）と第１の冷却加温室２の加温のみを行う加温運転モード（１室運転Ｈ）、第２の冷却加温室３、冷却専用室４の冷却のみを行う冷却運転モード（２室運転ＣＣ，１室運転Ｃ）とを電磁弁１１〜１９の開閉にて切り換えて行う。
【０００９】
ここで図６において、各商品収納庫のうち優先室を設け、加熱ＯＮ／ＯＦＦ温度、優先室・非優先室の温度状態によって運転モードを切り換える制御を行っている。そうすることで冷却負荷・加温負荷に関係なく常に最適な運転モードでの運転を行うことができ、省エネルギーにつなげることができる。
【先行技術文献】
【特許文献】
【００１０】
【特許文献１】特開２００６−１１６０４号公報
【発明の概要】
【発明が解決しようとする課題】
【００１１】
しかしながら、上記従来の構成では、庫内熱交換器、庫外熱交換器ともに１つの熱交換器を凝縮器もしくは蒸発器と役割を入れ替えて使用する仕様となっているために、熱交換器出口を膨張弁と接続される配管と圧縮機吸入配管と接続される配管とに分岐する必要があり、圧縮機吸入配管と接続する配管上に開閉を行う電磁弁を設けなくてはならない。各熱交換器が蒸発器として作用する場合は電磁弁を開放することになるが、電磁弁内部は通常は周囲配管よりも狭くなっており、冷媒が通過する際の圧力損失が生じ、圧縮機の効率低下の原因となる。また、電磁弁内部を広くすると開閉を行う際のコイルの力を強化する必要があり、それに伴ってコイル通電時の消費電力量が増大してしまうといった課題がある。
【００１２】
また、凝縮器と蒸発器とでは最適な仕様が異なり、凝縮器最適仕様にすると蒸発器として使用する際に熱交換器としての能力が不足することによる冷媒の液戻りが心配され、蒸発器最適仕様にすると凝縮器として使用する際に凝縮温度が目標とする温度まで到達できずに加温能力が低下してしまい、それぞれの運転に応じた最適仕様での運転ができないといった課題もある。
【００１３】
本発明は、上記従来の課題を解決するもので、種々の運転モードを切り換えて冷却加温を行なうシステムにおいて、効率の良い運転を実施し、消費電力量を低減することを目的とする。
【課題を解決するための手段】
【００１４】
上記従来の課題を解決するために、本発明の自動販売機は、複数の商品収納庫と、前記商品収納庫の下部に配置された機械室を有し、前記商品収納庫の内少なくとも１室を収納する商品を冷却もしくは加温する冷却加温室とし、前記商品収納庫の内少なくとも１室を収納する商品を冷却する冷却専用室としたものであって、前記冷却加温室内に設置された第一の庫内蒸発器および庫内凝縮器と、前記冷却専用室に設置された第二の庫内蒸発器と、前記機械室に設置した圧縮機と、庫外凝縮器と、前記圧縮機から吐出された冷媒の流路を、前記庫内凝縮器を経由して前記庫外凝縮器に流す第１の流路と、前記庫内凝縮器を経由せずに前記庫外凝縮器に流す第２の流路のいずれかに切り替える流路切替手段と、前記庫内凝縮器から前記流路切替手段を経由して前記庫外凝縮器に接続された冷媒配管と、前記圧縮機の吸入配管とをバイパスするバイパス流路に設けられた庫外蒸発器と、前記庫外蒸発器の吸入側で前記バイパス流路を開閉する電磁弁と、前記電磁弁と前記庫外蒸発器の間に設けられた膨張機構と、前記庫外凝縮器および前記庫外蒸発器の近傍に設けた庫外ファンとを備え、前記庫内凝縮器と前記庫外凝縮器を接続する配管に抵抗器を設けたことを特徴とするものである。
【００１５】
これによって、商品収納庫の加温単独運転が可能となるとともに、冷凍サイクル内の冷媒量を減少させることができる。
【発明の効果】
【００１６】
本発明の自動販売機は、商品収納庫の加温単独運転を可能とするとともに、冷凍サイクル内の冷媒量を減少させることができるので、可燃性冷媒などが漏洩した際の着火リスクを低減することができる。
【図面の簡単な説明】
【００１７】
【図１】本発明の実施の形態１における自動販売機の冷媒回路図
【図２】本発明の実施の形態１における冷却運転時の運転図
【図３】本発明の実施の形態１における冷却加温運転時の運転図
【図４】本発明の実施の形態１における加温運転時の運転図
【図５】従来の自動販売機の冷媒回路図
【図６】従来の自動販売機の運転切換制御のフローチャート
【発明を実施するための形態】
【００１８】
第１の発明は、複数の商品収納庫と、商品収納庫の下部に配置された機械室を有し、商品収納庫の内少なくとも１室を収納する商品を冷却もしくは加温する冷却加温室とし、商品収納庫の内少なくとも１室を収納する商品を冷却する冷却専用室とした自動販売機において、冷却加温室内に設置された第一の庫内蒸発器および庫内凝縮器と、冷却専用室に設置された第二の庫内蒸発器と、機械室に設置した圧縮機と、庫外凝縮器と、圧縮機から吐出された冷媒の流路を、庫内凝縮器を経由して庫外凝縮器に流す流路と、庫内凝縮器を経由せずに庫外凝縮器に流す流路のいずれかに切り替える流路切替手段と、庫内凝縮器から流路切替手段を経由して庫外凝縮器に接続された冷媒配管と、圧縮機の吸入配管とをバイパスするバイパス流路に設けられた庫外蒸発器と、庫外蒸発器の吸入側でバイパス流路を開閉する電磁弁と、電磁弁と庫外蒸発器の間に設けられた膨張機構と、庫外凝縮器および庫外蒸発器の近傍に設けた庫外ファンとを備え、庫内凝縮器と庫外凝縮器を接続する配管に抵抗器を設けたものであり、商品収納庫の加温単独運転が可能となるとともに、冷凍サイクル内の冷媒量を減少させることができるので、可燃性冷媒などが漏洩した際の着火リスクを低減することができる。
第２の発明は、第１の発明において、冷却加温室と冷却専用室を冷却する場合には、電磁弁を閉じるとともに、流路切替手段を切替えて圧縮機から吐出された冷媒を庫外凝縮器で凝縮させた後、第一の庫内蒸発器と第二の庫内蒸発器を経由して圧縮機に還流させ、冷却加温室を加温し冷却専用室を冷却する場合には、電磁弁を閉じるとともに、流路切替手段を切替え、圧縮機の吐出配管と庫内凝縮器を連通させるとともに庫内凝縮器と庫外凝縮器を連通させることで、圧縮機から吐出した冷媒を庫内凝縮器で一部凝縮させて周囲の空気に放熱することで冷却加温室を加温し、庫内凝縮器を出た冷媒を抵抗器で減圧した後に庫外凝縮器でさらに凝縮させた後、第二の庫内蒸発器を経由して圧縮機に還流させ、冷却加温室のみを加温する場合には、電磁弁を開くとともに、流路切替手段を切替え、圧縮機の吐出配管と庫内凝縮器を連通させるとともに庫内凝縮器と庫外凝縮器を連通させることで、圧縮機から吐出した冷媒を庫内凝縮器で一部凝縮させて周囲の空気に放熱することで冷却加温室を加温し、庫内凝縮器を出た冷媒を抵抗器で減圧した後に庫外凝縮器でさらに凝縮させ、庫外凝縮器を出た冷媒を膨張機構で減圧した後、庫外蒸発器を経由して圧縮機に還流させるものである。
【００１９】
第３の発明は、第１または第２の発明において、庫内凝縮器と庫外凝縮器を接続する配管に設けた抵抗器をキャピラリーチューブとしたものであり、簡素な構造で冷凍サイクル内の冷媒量を減少させることができる。
【００２０】
第４の発明は、第１乃至第３の発明において、庫内凝縮器にて冷媒を凝縮させた後、庫外凝縮器でさらに冷媒を凝縮してから庫内蒸発器にて冷媒を蒸発させる冷温同時運転中に庫外ファンの風量を停止または減少させるものであり、適正な冷却と加温運転を行うことができる。
【００２１】
以下、本発明の実施の形態について、図面を参照しながら説明する。なお、この実施の形態によって本発明が限定されるものではない。
【００２２】
（実施の形態１）
図１は、本発明の実施の形態１における自動販売機の冷媒回路図、図２は冷却運転時における運転図、図３は冷却加温運転時における運転図、図４は加温運転時における運転図である。
【００２３】
図１において、本実施の形態１の自動販売機は、商品を収納する商品収納庫１と商品収納庫１の下部に配置された機械室（図示せず）を有する。商品収納庫１内は３つの区画に別れ、収納する商品を冷却もしくは加温する第１の冷却加温室２、収納する商品を冷却もしくは加温する第２の冷却加温室３、収納する商品を冷却する冷却専用室４を有する。また、それぞれの庫内には商品収納棚（図示せず）が上部に吊り下げられており、商品が内部に収納されている。
【００２４】
また、圧縮機５、庫外凝縮器４０、庫外蒸発器４１、冷媒の流路を切替えると共に閉塞することが可能な四方向弁４２、通過する冷媒を減圧する抵抗器４３、４４、４５、４８、５２、庫内凝縮器４６、庫内蒸発器９、１０、４７、冷媒の流路切換が可能な四方切換弁４９、開閉可能な電磁弁５０、５１、加温時に用いる電気ヒータ３０、３１、庫外凝縮器４０と庫外蒸発器４１近傍に設けた庫外ファン２６、各庫内に設けた庫内ファン２７、２８、２９をそれぞれ備えている。
【００２５】
ここで庫内凝縮器４６と庫内蒸発器４７はフィンを共用した一体型熱交換器として形成されている。
【００２６】
また、庫外凝縮器４０と庫外蒸発器４１もフィンを共用した一体型熱交換器として形成されており、庫外ファン２６が運転した際の風上側にあたる位置に庫外凝縮器４０の配管が形成されている。
【００２７】
ここで、四方切換弁４９は圧縮機５の吐出配管、庫内凝縮器４６の入口出口配管、庫外凝縮器４０の入口配管と接続されている。
【００２８】
また、庫内蒸発器９の出口と抵抗器４５の出口とが庫内蒸発器１０の入口で並列に接続されている。
【００２９】
また、庫外凝縮器４０の下流側にて庫外蒸発器４１が配管にて接続されており、その配管上に開閉可能な電磁弁５１と抵抗器５２とを設けている。
【００３０】
また、庫内凝縮器４６と庫外凝縮器４０とを接続する配管に抵抗器４８を備えている。
【００３１】
なお、冷却システムに適用する冷媒として可燃性を有する冷媒が使用されている。例えば、メタン、エタン、プロパン、イソブタン、ペンタン等の炭化水素系冷媒、Ｒ３２、Ｒ１５２ａ、Ｒ１４３ａなどのＨＦＣ系冷媒、ＨＦＯ１２３４ｙｆ、ＨＦＯ１２３４ｚｅ等のＨＦＯ系冷媒、あるいはこれらの少なくとも１つを含む２種以上の混合された冷媒などを挙げることができる。
【００３２】
これらの冷媒は、燃焼範囲内のガス濃度において、着火源となる火気があると燃焼する冷媒であるが、特に炭化水素系冷媒はオゾン破壊係数が０であり、温暖化係数も小さく、環境影響が少ない自然冷媒である。また、ＨＦＯ系冷媒は微燃性を有する冷媒でありＲ１３４ａ代替冷媒として近年開発されたものである。
【００３３】
以上のように構成された自動販売機について、以下その動作を説明する。
【００３４】
まず、全室を冷却する冷却運転の場合は図２に示すような運転となる。
【００３５】
冷却運転の場合、圧縮機５の吐出配管と庫外凝縮器４０とが連通し、庫内凝縮器４６の入口出口が連通するよう四方切換弁４９を動作するとともに、電磁弁５０を開放して電磁弁５１を閉塞し、庫外凝縮器４０と庫内蒸発器９、１０、４７とが連通するよう四方向弁４２を動作して、圧縮機５を起動する。
【００３６】
圧縮機５から吐出された冷媒は四方切換弁４９を通過して庫外凝縮器４０で凝縮した後に、四方向弁４２を通過して抵抗器４３、４４、４５にて減圧された後に庫内蒸発器９、１０、４７で蒸発気化して庫内を冷却し、その後、圧縮機５へと還流する。この際に第１の冷却加温室２、第２の冷却加温室３、冷却専用室４の庫内温度を検知して四方向弁４２を動作させて冷媒を流入させる庫内蒸発器を切り替えていくことで冷却を行う庫内を切り替える。
【００３７】
次に第１の冷却加温室２を加温すると同時に第２の冷却加温室３、冷却専用室４を冷却する冷却加温運転の場合は、図３に示すような運転となる。
【００３８】
冷却加温運転の場合は、圧縮機５の吐出配管と庫内凝縮器４６とが連通し、庫内凝縮器４６と庫外凝縮器４０とが連通するよう四方切換弁４９を動作するとともに電磁弁５０、５１を閉塞し、庫外凝縮器４０と蒸発器９、１０とが連通するよう四方向弁４２を動作して圧縮機５を起動する。
【００３９】
圧縮機５から吐出された冷媒は四方切換弁４９を通過した後に庫内凝縮器４６へと向かい、庫内凝縮器４６にて一部凝縮し、その際に周囲の空気へと放熱することで庫内を加温する。庫内凝縮器４６を出た冷媒は抵抗器４８にて減圧された後に四方切換弁４９を通過して庫外凝縮器４０にてさらに凝縮し、その後四方向弁４２を通過して抵抗器４４、４５で減圧されてから庫内蒸発器９、１０にて蒸発気化することで周囲の空気を冷却する。蒸発気化した冷媒は圧縮機５へと還流する。
【００４０】
また、庫内凝縮器４６にて冷媒を凝縮させた後、庫外凝縮器４０でさらに冷媒を凝縮してから庫内蒸発器４７にて冷媒を蒸発させる冷温同時運転中に庫外ファン２６の風量を停
止または減少させることで、凝縮器での熱交換量を適正化でき、冷媒不足を招くことなく適正な冷却と加温運転を行うことができる。
【００４１】
次に第１の冷却加温室を加温するのみの加温運転の場合は、図４に示すような運転となる。
【００４２】
加温運転の場合は、圧縮機５の吐出配管と庫内凝縮器４６とが連通し、庫内凝縮器４６と庫外凝縮器４０とが連通するよう四方切換弁４９を動作するとともに電磁弁５０を閉塞して電磁弁５１を開放し、四方向弁４２を閉塞して圧縮機５を起動する。
【００４３】
圧縮機５から吐出された冷媒は四方切換弁４９を通過した後に庫内凝縮器４６にて凝縮放熱して庫内を加温し、その後、抵抗器４８にて減圧された後に四方切換弁４９を通過して、庫外凝縮器４０にてさらに凝縮する。その後、電磁弁５１を通過し、抵抗器５２にて減圧された後に庫外蒸発器４１にて蒸発気化し、圧縮機５へと還流する。
【００４４】
上記のように、第１の冷却加温室２を加温する場合に、電磁弁５１、四方向弁４２を開閉することで庫内蒸発器９、１０と庫外蒸発器４１とを選択して冷媒を蒸発させることによって、第１の冷却加温室２を加温するために必要な熱源を庫内蒸発器９、１０もしくは庫外蒸発器４１から選択することができるので、第２の冷却加温室３、冷却専用室４の負荷状態に関係なく、第１の冷却加温室２を加温することが可能となり、冷却室の負荷が低下する低外気温時においても加温運転をすることによる消費電力量削減を図ることができる。
【００４５】
さらに、庫内・庫外ともに凝縮器と蒸発器とを個別に配置することで、各々１つの熱交換器を凝縮器・蒸発器として使い分けるのと比較して、蒸発器出口と圧縮機吸入配管とを接続した配管上に設けた電磁弁を廃止することができ、圧力損失による効率低下を防止することができる。また、凝縮器と蒸発器それぞれで最適仕様とすることができるのでより効率の高い運転をすることが可能となる。
【００４６】
さらに、庫外凝縮器４０の下流側で庫内蒸発器９、１０もしくは庫外蒸発器４１を選択する形で運転モードを切り替えることで、冷却加温運転、加温運転のどちらにおいても庫内凝縮器４６で凝縮された冷媒が再度、庫外凝縮器４０で凝縮され、冷却加温運転と加温運転とで凝縮器の配管容積が同一になり、最適冷媒量を同一にすることが可能となる。
【００４７】
ここで、加温運転の場合は商品収納庫下部の機械室に設置した庫外蒸発器４１にて冷媒が蒸発気化して周囲空気を冷却することになるために、周囲空気の湿度が高い状態においては庫外蒸発器４１内の配管が結露もしくは着霜し、結露水が機械室から自動販売機外へと滴下する恐れがあるが、この場合においても庫外凝縮器４０と庫外蒸発器４１とをフィンを共用した一体型熱交換器とし、さらに常に庫外凝縮器４０にて放熱して凝縮する配管構成とすることで庫外凝縮器４０と庫外蒸発器４１との間で熱交換することができ、そのことにより庫外蒸発器４１により周囲空気を冷却する熱量を緩和することができるとともに庫外凝縮器４０からの放熱によって一体型熱交換器のフィンを暖めることで結露水を蒸発させることができるので結露水の自販機庫外への滴下を防ぐことができる。
【００４８】
その際に、庫外凝縮器４０の配管を庫外ファン２６が運転した時に風上側になるように配置することで、より庫外凝縮器４０と庫外蒸発器４１との熱交換を高めることができ、より結露を抑制することが可能となる。
【００４９】
さらに、庫外蒸発器４１の中で最も温度が低下する入口を一体型熱交換器の上部に配置することで結露水がフィンをつたって滴下する距離が長くなるので滴下途中で蒸発しやす
く、より滴下しにくくなる。
【００５０】
さらに一体型熱交換器の下部に滴下した結露水を受ける皿を配置することでさらに自動販売機庫外への滴下を防ぐことができる。
【００５１】
また、庫内凝縮器４６と庫外凝縮器４０との間の配管上に抵抗器４８を設けることで庫内凝縮温度と庫外凝縮温度に差をつけることができる。このことによって庫外凝縮器における冷媒密度が低下するので冷媒量を削減することができる。冷媒量を削減することによって凝縮器を２個使用する冷却加温運転、加温運転と凝縮器を１個使用する冷却運転とで生じる最適冷媒量差を減少することができるとともに、可燃性冷媒を用いた際の漏洩時におけるリスク軽減にもつなげることができる。
【００５２】
なお、抵抗器４８についてはキャピラリーチューブを用いてもよく、キャピラリーチューブを用いることで抵抗器としての役割と庫内凝縮器４６、四方切換弁４９とを接続する配管としての役割を兼用することができるので、膨張弁などを用いた場合と比較してさらに冷媒量を削減することが可能となる。
【００５３】
また、庫内凝縮器４６内を冷媒が通過しない冷却運転においては四方切換弁４９内で高圧となる圧縮機５の吐出配管側から低圧側となる庫内凝縮器４６側へと冷媒が漏洩することで庫内凝縮器４６へと冷媒や冷凍機油が滞留し続けて冷却能力不足や圧縮機の故障などが生じる原因となるが、庫内凝縮器４６と低圧側配管とを接続し配管上に電磁弁５０を設けていることで、電磁弁５０を開放することで庫内凝縮器４６へと滞留した冷媒やオイルを低圧となる圧縮機の吸入配管へと回収することができ、冷却能力不足や圧縮機の故障を防止することができる。また、電磁弁５０を開放することで庫内凝縮器４６の配管内圧力も圧縮機５の吸入圧力と同一になる。そのことによって四方切換弁４９内での高低圧差を確保することができ、四方切換弁４９内での冷媒の漏洩を防止することも可能となる。
【００５４】
なお、四方切換弁４９における冷媒の漏れ量は通常時は非常に少ないので、電磁弁５０を常に開放するのでなく、圧縮機の起動中に定期的に所定の時間開放するとしても同様の効果を得ることができる。そのことによって電磁弁の電力量を最低限に抑制することも可能となる。
【００５５】
さらに、四方切換弁４９に異常があり漏れ量が通常よりも多い場合を検知して、電磁弁５０の開放時間を変更させる制御があると漏れ量が多くなる異常時においても対応することが可能となる。
【００５６】
ここで、庫内凝縮器４６と圧縮機５の吸入配管とを接続することで滞留冷媒の回収を行ったが、接続する配管は圧縮機５の吸入圧力と同一となる場所であればどこでもよく、具体的には抵抗器４３、４４、４５、５２以降であれば良い。ただし、商品収納庫内で接続すると商品収納庫内に電磁弁５０を設けることとなり、スペースが必要となることから商品収納スペースが狭くなる可能性があることと、商品収納庫を冷却している場合は電磁弁５０に通電することで熱負荷となることから圧縮機５の吸入配管近傍に接続するのが最も効率良く冷媒回収を行うことができる。
【００５７】
なお、庫外凝縮器４０の配管を一体型熱交換器の下部に配置し、庫外蒸発器４１の配管を一体型熱交換器の上部に配置しても良く、そうすることで上部の庫外蒸発器４１において発生しフィンをつたって滴下する結露水を下部の庫外凝縮器４０近傍で蒸発することで、結露水の滴下を防止することができる。
【産業上の利用可能性】
【００５８】
以上のように、本発明にかかる自動販売機は、複数の運転モードを切り換えて庫内の冷却と加温を行う冷凍サイクルにおいて、冷却庫内の負荷に関係なく加温庫内を効率よく加温できるので、複数の貯蔵室を備えそれぞれの貯蔵室にて冷却と加温を切り替えて行う機器に適用できる。
【符号の説明】
【００５９】
２  第１の冷却加温室
３  第２の冷却加温室
４  冷却専用室
５  圧縮機
２６  庫外ファン
４０  庫外凝縮器
４１  庫外蒸発器
４６  庫内凝縮器
４７  庫内蒸発器
【図１】
0005903566.tif 000002
【図２】
0005903566.tif 000003
【図３】
0005903566.tif 000004
【図４】
0005903566.tif 000005
【図５】
0005903566.tif 000006
【図６】
0005903566.tif 000007